(57)【要約】【課題】  体を動かしてはいけない状態である患者が使用している電動ベッドを適切に制御することができるようにすることを目的とする。【解決手段】  電動ベッド１上の患者の予定項目として、「点滴使用」や「留置カテーテル使用」、「挿管チューブ使用」、「ドレーン使用」などの、患者の体を動かしてはいけない状態であることを示す予定項目が実施されている間、電動ベッド１の駆動部３を操作する操作部４が操作されても、駆動部３の動作を制限するようにしている。これにより、患者の体を動かしてはいけない状態であることを示す予定項目が実施されている間の電動ベッド１の駆動が制限されるので、体を動かしてはいけない状態である患者に影響を与えないようにすることができる。従って、電動ベッド１を適切に制御することができる。【選択図】  図１
2011050446.tif 000002
【特許請求の範囲】
【請求項１】
患者によって使用される電動ベッドと、この電動ベッドに接続されている親機とを備えた電動ベッド制御システムであって、
前記電動ベッドは、前記患者の姿勢や位置の変更を補助するために前記電動ベッドの所定の部分を駆動させる駆動部と、前記駆動部の操作を行うための操作部と、前記駆動部を前記操作部の操作に従って制御する制御部とを備え、
前記親機は、前記患者の治療の予定や前記患者の看護の予定を示す予定項目のうち、前記患者の体を動かすことが好ましくない予定項目を示す予定項目情報を、その予定項目の実施時刻を示す実施時刻情報とともに記憶する記憶部と、現在時刻を測定して現在時刻情報として出力する時計部と、前記記憶部および前記時計部を参照し、前記患者の体を動かすことが好ましくない予定項目の実施時刻情報が前記現在時刻情報に該当する場合には、前記操作部の操作を制限する駆動制限制御信号を生成する親機制御部と、前記親機制御部にて生成された前記駆動制限制御信号を前記患者が使用する電動ベッドに送信する親機インターフェースとを備え、
たことを特徴とする電動ベッド制御システム。
【請求項２】
患者によって使用される電動ベッドと、この電動ベッドに接続されている親機とを備えた電動ベッド制御システムであって、
前記電動ベッドは、前記患者の姿勢や位置の変更を補助するために前記電動ベッドの所定の部分を駆動させる駆動部と、前記駆動部の操作を行うための操作部と、前記所定の部分の状態を検出してベッド状態信号を生成するベッド状態検出部と、前記駆動部を前記操作部の操作に従って制御する制御部と、前記ベッド状態検出部により生成されたベッド状態信号を出力するインターフェースとを備え、
前記親機は、前記患者の治療の予定や前記患者の看護の予定を示す予定項目のうち、前記患者の体を動かすことが好ましくない予定項目を示す予定項目情報を、その予定項目の実施時刻を示す実施時刻情報とともに記憶する記憶部と、現在時刻を測定して現在時刻情報として出力する時計部と、前記所定の部分の状態が所定の範囲に入っていないことを報知する報知部と、前記電動ベッドから出力されたベッド状態信号を入力する親機インターフェースと、前記記憶部および前記時計部を参照し、前記患者の体を動かすことが好ましくない予定項目の実施時刻情報が前記現在時刻情報に該当する場合には、前記親機インターフェースが入力した前記ベッド状態信号を解析して、前記所定の範囲に入っているか否かを判定し、所定の範囲に入っていないと判断したときには、前記報知部を動作させる親機制御部とを備え、
たことを特徴とする電動ベッド制御システム。
【発明の詳細な説明】
【技術分野】
【０００１】
本発明は、医療用または介護用のベッドの背もたれ部分や床部分が電気的に駆動する電動ベッドの背もたれ部分の角度や床部分の高さなどを制御する電動ベッド制御システムに関する。
【背景技術】
【０００２】
医療用または介護用のベッドの中には、治療または介護作業の負荷を軽減したり、患者や被介護者（以下、まとめて患者と記載する）が起き上がる際に補助したりするために、ベッドの背もたれ部分の角度やベッドの床部分の高さなどを変更できるものが存在している。また、ベッドの背もたれ部分の角度やベッドの床部分の高さなどを変更する場合、看護師や介護者（以下、まとめて医療従事者と記載する）が容易に操作できるように、ベッドの背もたれ部分やベッドの床部分を電気的に駆動するいわゆる電動ベッドも知られている。ここで、電動ベッドの背もたれ部分の角度や電動ベッドの床部分の高さなどの変更の操作は、医療従事者だけではなく、患者自身によっても行われることがある。
【０００３】
ところで、電動ベッドの姿勢、すなわち、電動ベッドの背もたれ部分（背ボトム）と足を乗せる部分（膝ボトム）との角度が９０度よりも狭くなると、患者の体が圧迫されて、患者に負担がかかってしまうという問題があった。また、電動ベッドの床部分の高さが高すぎると、患者がベッドから転落した場合や患者がベッドから降りた場合に患者が危険にさらされてしまうという問題があった。これらの問題を解決するために、電動ベッドの背もたれ部分と足を乗せる部分との間の角度や電動ベッドの床部分の高さに制限を設けることで、電動ベッドを使用している患者への負担や危険を軽減する技術が知られている（例えば、特許文献１などに記載）。
【先行技術文献】
【特許文献】
【０００４】
【特許文献１】特開平１１−２６２５０６号公報
【発明の概要】
【発明が解決しようとする課題】
【０００５】
しかしながら、上述した特許文献１に記載の電動ベッドでは、電動ベッドの背もたれ部分と足を乗せる部分との間の角度や電動ベッドの高さなどに制限を設けているだけなので、電動ベッド上の患者が点滴を使用していたり、留置カテーテルを使用していたり、挿管チューブを使用していたり、ドレーンを使用していたりして、体を動かしてはいけない状態であっても、電動ベッドを駆動させることができてしまうので、点滴針や留置カテーテル、挿管チューブ、ドレーンなどが患者の体から抜けたり、患者の体により深く挿入されてしまったりするという不具合が発生する問題があった。
【０００６】
本発明は、このような問題を解決するために成されたものであり、体を動かしてはいけない状態である患者が使用している電動ベッドを適切に制御することができるようにすることを目的とする。
【課題を解決するための手段】
【０００７】
上述した課題を解決するために、本発明では、治療の予定や看護の予定を示す予定項目のうち、患者の体を動かすことが好ましくない予定項目が実施されている間、電動ベッドの駆動を行う操作が行われても、電動ベッドの駆動を制限するようにしている。
【０００８】
また、本発明の他の態様によれば、治療の予定や看護の予定を示す予定項目のうち、患者の体を動かすことが好ましくない予定項目が実施されている間、電動ベッドの駆動を行う操作が行われて電動ベッドが所定の範囲を超えて駆動した場合に、報知を行うようにしている。
【発明の効果】
【０００９】
上記のように構成した本発明によれば、電動ベッド上の患者が点滴を使用していたり、留置カテーテルを使用していたり、挿管チューブを使用していたり、ドレーンを使用していたりして、体を動かしてはいけない状態であることが予定項目により特定され、その予定項目が実施されている間の電動ベッドの駆動が制限されるので、体を動かしてはいけない状態である患者に影響を与えないようにすることができる。従って、電動ベッドを適切に制御することができる。
【００１０】
また、本発明の他の態様によれば、電動ベッド上の患者が点滴を使用していたり、留置カテーテルを使用していたり、挿管チューブを使用していたり、ドレーンを使用していたりして、体を動かしてはいけない状態であることが予定項目により特定され、その予定項目が実施されている間に電動ベッドが所定の範囲を超えて駆動した場合に、体を動かしてはいけない状態である患者に影響を与えるほど電動ベッドが動いているものとして報知が行われる。従って、電動ベッドを適切に制御することができる。
【図面の簡単な説明】
【００１１】
【図１】本実施形態による電動ベッド制御システムの構成例を示すブロック図である。
【図２】本実施形態による電動ベッド制御システムに使用される予定項目の例を示す図である。
【図３】本実施形態による電動ベッド制御システムの変形例を示すブロック図である。
【発明を実施するための形態】
【００１２】
以下、本発明の一実施形態を図面に基づいて説明する。図１は、本実施形態による電動ベッド制御システムの構成例を示すブロック図である。同図において、１は電動ベッドであり、病室に設置され、患者によって使用される。ここで、電動ベッド１は、制御部２、駆動部３、操作部４、インターフェース５を備えて構成されている。また、１０は親機であり、医療従事者が常駐するナースセンタなどに設置され、医療従事者によって使用される。ここで、親機１０は、親機制御部１１、親機インターフェース１２、記憶部１３、時計部１４を備えて構成されている。
【００１３】
まず、電動ベッド１の各構成要素について説明する。制御部２は、電動ベッド１の各構成要素を後述するように制御するためのものであり、ＣＰＵ（Central Processing Unit）などにより構成されている。駆動部３は、電動ベッド１上の患者の姿勢や位置の変更を補助するために、電気により駆動するものであり、電動ベッド１の背もたれ部分や電動ベッド１の床部分をモーターなどにより駆動する。操作部４は、電動ベッド１上の患者の手元付近などに設置されており、患者や医療従事者などによって操作される。操作部４によって電動ベッド１の背もたれ部分の角度を変更する操作が行われると、制御部２は駆動部３を制御して、電動ベッド１の背もたれ部分の角度を変更する。また、操作部４によって電動ベッド１の床部分の高さを変更する操作が行われると、制御部２は駆動部３を制御して、電動ベッド１の床部分の高さを変更する。インターフェース５は、電動ベッド１と親機１０とを接続して通信を行うためのものであり、親機１０から出力された駆動制限制御信号を入力する。
【００１４】
次に、親機１０の各構成要素について説明する。親機制御部１１は、親機１０の各構成要素を後述するように制御するためのものであり、ＣＰＵなどにより構成されている。親機インターフェース１２は、親機１０と電動ベッド１とを接続して通信を行うためのものである。ここで、親機１０には複数の電動ベッド１が接続されている。
【００１５】
記憶部１３は、ハードディスクドライブやメモリなどの記憶装置により構成されており、少なくとも電動ベッド１を使用する患者の治療の予定や看護の予定を示す予定項目のうち、患者の体を動かすことが好ましくない予定項目を示す予定項目情報と、その予定項目の実施時刻を示す実施時刻情報と、その予定項目が実施される患者が使用する電動ベッド１の識別情報とを関連付けて記憶している。ここで、患者の体を動かすことが好ましくない予定項目とは、「点滴使用」や「留置カテーテル使用」、「挿管チューブ使用」、「ドレーン使用」などである。また、記憶部１３は、図２（ａ）に示すように、上述した予定項目に対して、電動ベッド１の駆動部３の動作を有効とするか無効とするかを関連付けて記憶している。例えば、「点滴使用」、「留置カテーテル使用」、「挿管チューブ使用」、「ドレーン使用」、「検査」の予定項目のうち、「検査」の予定項目は、体を動かすことが好ましくない予定項目では無いので、有効な予定項目と設定している。また、「点滴使用」、「留置カテーテル使用」、「挿管チューブ使用」、「ドレーン使用」の予定項目は、体を動かすことが好ましくない予定項目であるので、無効な予定項目と設定している。なお、記憶部１３は、予定項目の実施時刻情報だけではなく、予定項目の実施年月日を示す実施年月日情報を記憶するようにしても良い。
【００１６】
また、図２（ｂ）に示すように、ある患者Ａのある日の予定が記憶部１３に記憶されており、８：３０分から９：００までに「検査」の予定項目が入っており、１０：００から１０：３０までに「点滴使用」の予定項目が入っている場合、「検査」は有効な予定項目となり、「点滴使用」は無効な予定項目となる。
【００１７】
時計部１４は、現在時刻を計測し、現在時刻情報として出力する。なお、時計部１４は、現在時刻情報だけではなく、年月日を示す年月日情報を出力するようにしても良い。親機制御部１１は、記憶部１３を参照して、患者の体を動かすことが好ましくない予定項目を示す予定項目情報を取得する。また、親機制御部１１は、記憶部１３を参照して、取得した予定項目情報を含む実施時刻情報を抽出する。一方、親機制御部１１は、時計部１４から出力されている現在時刻情報を入力しており、抽出した実施時刻情報が現在時刻情報に該当する場合には、関連付けて記憶部１３に記憶されている識別情報を取得する。そして、親機制御部１１は、電動ベッド１の駆動部３の駆動を制限するための駆動制限制御信号を生成する。ここで、駆動制限制御信号には、取得された識別情報が含まれている。
【００１８】
親機インターフェース１２は、親機制御部１１により生成された駆動制限制御信号を電動ベッド１に出力する。ここで、出力先の電動ベッド１は、駆動制限制御信号に含まれる識別情報により特定される。電動ベッド１のインターフェース５は、親機１０から駆動制限制御信号を入力する。そして、制御部２は、操作部４が操作されても駆動部３が動作しないように駆動部３を制御する。ここで、駆動部３が動作しない状態は、患者の体を動かすことが好ましくない予定項目が終了するまで継続される。そのため、予定項目の開始から終了まで、親機制御部１１が駆動制限制御信号を生成し続け、親機インターフェース１２が駆動制限制御信号を出力し続けるようにしても良いし、予定項目の開始時に、親機制御部１１がワンショットの駆動制限制御信号を生成して親機インターフェース１２がそれを出力し、予定項目の終了時に、親機制御部１１が駆動制限制御信号を無効とする信号を生成して親機インターフェース１２がそれを出力するようにしても良い。
【００１９】
以上詳しく説明したように、本実施形態によれば、電動ベッド１上の患者の予定項目として、「点滴使用」や「留置カテーテル使用」、「挿管チューブ使用」、「ドレーン使用」などの患者の体を動かしてはいけない状態であることを示す予定項目が実施されている間の電動ベッド１の駆動が制限されるので、体を動かしてはいけない状態である患者に影響を与えないようにすることができる。従って、電動ベッド１を適切に制御することができる。
【００２０】
なお、前述した実施形態では、電動ベッド１のインターフェース５が親機１０から駆動制限制御信号を入力した場合に、制御部２は、操作部４が操作されても駆動部３が動作しないように駆動部３を制御しているが、これに限定されない。例えば、電動ベッド１のインターフェース５が親機１０から駆動制限制御信号を入力した場合、制御部２は、操作部４が操作されたときに、駆動部３が駆動する範囲を制限するように駆動部３を制御するようにしても良い。具体的には、電動ベッド１の背もたれ部分の角度の駆動範囲を制限したり、電動ベッド１の床部分の高さの駆動範囲を制限したりする。
【００２１】
また、前述した実施形態では、電動ベッド１のインターフェース５が親機１０から駆動制限制御信号を入力した場合に、制御部２は、操作部４が操作されても駆動部３が動作しないように駆動部３を制御しているが、これに限定されない。例えば、患者の体を動かすことが好ましくない予定項目の実施時刻情報が現在時刻情報に該当する場合に、操作部４が操作されて電動ベッド１の状態が所定の範囲を超えて駆動したときに、報知を行うようにしても良い。
【００２２】
具体的には、図３に示すように、本変形例の電動ベッド制御システムの電動ベッド１は、上述した制御部２、駆動部３、操作部４、インターフェース５に加えてベッド状態検出部６を備えており、親機１０は、上述した親機制御部１１、親機インターフェース１２、記憶部１３、時計部１４に加えて報知部１５を備えている。ここで、上述した実施形態と同じ構成要素については、同じ符号を付して説明を一部省略する。
【００２３】
電動ベッド１のベッド状態検出部６は、赤外線センサーや傾斜センサーなどのセンサーにより構成されており、電動ベッド１の背もたれ部分の角度や電動ベッド１の床部分の高さ（特許請求の範囲の所定の部分に該当する）などのベッドの状態を随時検出してベッド状態検出信号を生成する。生成されたベッド状態検出信号は、インターフェース５により親機１０に出力される。ここで、ベッド状態検出信号には、電動ベッド１の識別情報が含まれる。
【００２４】
親機１０の報知部１５は、スピーカなどの放音装置により構成されており、電動ベッド１の背もたれ部分の角度や電動ベッド１の床部分の高さが所定の範囲に入っていないことを報知する。ここで、所定の範囲とは、体を動かすことが好ましくない患者に負担をかけない背もたれ部分の角度の範囲や床部分の高さの範囲を示している。
【００２５】
親機制御部１１は、記憶部１３を参照して、取得した予定項目情報を含む実施時刻情報を抽出する。一方、親機制御部１１は、時計部１４から出力されている現在時刻情報を入力しており、抽出した実施時刻情報が現在時刻情報に該当する場合には、関連付けて記憶部１３に記憶されている識別情報を取得する。そして、親機制御部１１は、取得した識別情報と一致する識別情報を含むベッド状態検出信号を抽出する。親機制御部１１は、抽出したベッド状態検出信号が所定の範囲に入っているか否かを判定し、所定の範囲に入っていないと判断したときには、報知部１５を動作させる。すなわち、体を動かすことが好ましくない患者が使用する電動ベッド１の背もたれ部分の角度や床部分の高さが、操作部４により所定の範囲を超えて操作されていると判断して、親機制御部１１は、報知部１５を動作させている。
【００２６】
これにより、本変形例によれば、電動ベッド１上の患者の予定項目として、「点滴使用」や「留置カテーテル使用」、「挿管チューブ使用」、「ドレーン使用」などの、患者の体を動かしてはいけない状態であることを示す予定項目が実施されている間に電動ベッド１が所定の範囲を超えて駆動した場合に、体を動かしてはいけない状態である患者に影響を与えるほど電動ベッド１が動いているものとして報知部１５により報知が行われる。従って、電動ベッドを適切に制御することができる。
【００２７】
また、前述した本実施形態では、駆動部３は、電動ベッド１の背もたれ部分と床部分との両方を駆動しているが、これに限定されない。例えば、背もたれ部分および床部分の少なくとも一方であっても良いし、電動ベッド１の足を乗せる部分であっても良い。
【００２８】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００２９】
１    電動ベッド
２    制御部
３    駆動部
４    操作部
５    インターフェース
６    ベッド状態検出部
１０    親機
１１    親機制御部
１２    親機インターフェース
１３    記憶部
１４    時計部
１５    報知部
【図１】
2011050446.tif 000003
【図２】
2011050446.tif 000004
【図３】
2011050446.tif 000005